(57)【要約】【課題】建築床から浴室ユニット出入り口までの沓摺高さを低減した浴室ユニットを提供する。【解決手段】洗い場の床を形成する防水パンと、側面下部に設けられ上記洗い場に隣接設置された浴槽からの排水を取水する取水口と、頂部に開口し上記洗い場の排水を導入する流入口と、側面上部に設けられ流入した集水された排水を外部に排出する、上端が上記流入口より高い位置に形成された排水口とを有する排水トラップと、一端が上記排水口に接続され、上記防水パン下に延設されて上記トラップからの排水を外部に排出する排水管とを備える浴室ユニットにおいて、上記排水口の上端は、上記流入口より高い位置に形成され、上記排水トラップは、上記洗い場の水勾配最下部において設置されるとともに、上記防水パンは、該裏面の高さが、下に延設された上記排水管の各断面上部より低い高さに位置する部分は、斯かる接触を回避すべく隆起した棚部に形成される。【選択図】  図２
2005325595.tif 000002
【特許請求の範囲】
【請求項１】
洗い場の床を形成する防水パンと、
側面下部に設けられ上記洗い場に隣接設置された浴槽からの排水を取水する取水口と、頂部に開口し上記洗い場の排水を導入する流入口と、側面上部に設けられ流入した集水された排水を外部に排出する、上端が上記流入口より高い位置に形成された排水口とを有する排水トラップと、
一端が上記排水口に接続され、上記防水パン下に延設されて上記トラップからの排水を外部に排出する排水管と、
を備える浴室ユニットにおいて、
上記排水口の上端は、上記流入口より高い位置に形成され、
上記排水トラップは、上記洗い場の水勾配最下部において設置されるとともに、
上記防水パンは、該裏面の高さが、下に延設された上記排水管の各断面上部より低い高さに位置する部分は、斯かる接触を回避すべく隆起した棚部に形成される
ことを特徴とする浴室ユニット。
【請求項２】
前記排水トラップは、前記洗い場の水勾配最下部において、上記流入口が床レベルと略同一高さに設置されたことを特徴とする請求項１記載の浴室ユニット。
【請求項３】
前記洗い場の浴槽側を除く少なくとも三方には、前記防水パン外縁の水上レベルから、前記棚部より低くない高さまで前記防水パン外方に後退しつつ起立する傾斜巾木が設けられ、該傾斜巾木の天端は外方に略水平に延出され、壁パネルが据え付けられる壁パネル載置部が形成されたことを特徴とする請求項１記載の浴室ユニット。
【請求項４】
前記浴室ユニットは、出入りのためのドアと該ドアの開口を形成するドア枠とを備え、該ドアの下枠には、前記傾斜巾木の立ち上がり根本まで延出するスロープが形成されたことを特徴とする請求項１記載の浴室ユニット。
【発明の詳細な説明】
【技術分野】
【０００１】
本発明は、浴室ユニットに係り、特に建築床から浴室ユニット出入り口までのいわゆる沓摺高さを低減した浴室ユニットに関する。
【背景技術】
【０００２】
マンションや戸建て住宅に設置される浴室ユニットは、それが設置される建築床から上階までの限られた高さの内でできるだけ高い天井高さを確保して広い空間を得るため、及び前室となる脱衣室からの出入りに際して躓きの原因となる脱衣室床との段差を解消するため、建築床から浴室ユニット出入り口までのいわゆる沓摺高さを低減した低床タイプの浴室ユニットが求められることが多い。
【０００３】
この沓摺高さ低減のネックとなるのが、床裏に吊設される排水トラップの存在であり、この排水トラップ自体の高さを低減すべく種々の提案がなされている。しかしながら、図１６に示すように、排水トラップに集水された浴槽及び洗い場の排水を浴室ユニット外部の設備配管まで送水するために、排水トラップの排水口と設備配管とを接続する排水管に勾配を設ける必要があるため、排水口は一定以上の高さになければならない。特に浴槽からの排水は１回の排水量が多く、比較的長時間を要することから、できるだけ短時間で排水を完了させたいという要求があるが、排水口が低いと十分な水勾配が取れず、排水速度が遅くなるという問題がある。排水管の長さが長くなると尚更である。すなわち、排水トラップ自体の高さを小さくしただけでは沓摺高さを低減することはできない。
【０００４】
斯かる沓摺高さ低減の問題を解消するために、頂部に開口した洗い場の排水を導入する流入口よりも、排水口の上端を高い位置に形成した排水トラップが知られている（例えば、特許文献１参照。）。しかしながら、この排水口上端を浴室ユニットの床を形成する防水パン裏面に収納するために、流入口を洗い場床の水下からさらに下げて取り付けているので、排水口の位置を上げたことが沓摺高さ低減に十分役立っているとはいえない。
【０００５】
そこで、頂部に開口した洗い場の排水を導入する流入口よりも排水口の上端を高い位置に形成しつつ、流入口と洗い場床の水下とを同レベルとしたものが提案されている（例えば、特許文献２参照。）。しかしながら、この提案では、排水トラップは一部が浴室ユニットの壁面外部に延出し、この延出した部分において排水管に接続されているので、排水管が防水パン下で引き回されることを考慮する必要のない、ごく限られた理想化された状態でしか使用できない。
【特許文献１】特開２００３−５６０３６号公報（図５）
【特許文献２】特開平８−１０５０９０号公報（図１）
【発明の開示】
【発明が解決しようとする課題】
【０００６】
本発明は、上述した事情を考慮してなされたもので、建築床から浴室ユニット出入り口までのいわゆる沓摺高さを低減した浴室ユニットを提供することを目的とするものである。
【課題を解決するための手段】
【０００７】
本発明に係る浴室ユニットは、上述した課題を解決するために、請求項１に記載したように、洗い場の床を形成する防水パンと、側面下部に設設けられ上記洗い場に隣接設置された浴槽からの排水を取水する取水口と、頂部に開口し上記洗い場の排水を導入する流入口と、側面上部に設けられ流入した集水された排水を外部に排出する、上端が上記流入口より高い位置に形成された排水口とを有する排水トラップと、一端が上記排水口に接続され、上記防水パン下に延設されて上記トラップからの排水を外部に排出する排水管とを備える浴室ユニットにおいて、上記排水口の上端は、上記流入口より高い位置に形成され、上記排水トラップは、上記洗い場の水勾配最下部において設置されるとともに、上記防水パンは、該裏面の高さが、下に延設された上記排水管の各断面上部より低い高さに位置する部分は、斯かる接触を回避すべく隆起した棚部に形成されるものである。
【０００８】
好適には、前記排水トラップは、請求項２に記載したように、前記洗い場の水勾配最下部において、上記流入口が床レベルと略同一高さに設置されてもよい。
【０００９】
次に、上述した課題を解決するために、請求項３に係る浴室ユニットは、前記洗い場の浴槽側を除く少なくとも三方には、前記防水パン外縁の水上レベルから、前記棚部より低くない高さまで前記防水パン外方に後退しつつ起立する傾斜巾木が設けられ、該傾斜巾木の天端は外方に略水平に延出され、壁パネルが据え付けられる壁パネル載置部が形成されるものである。
【００１０】
そして、上述した課題を解決するために、請求項４に係る浴室ユニットは、出入りのためのドアと該ドアの開口を形成するドア枠とを備え、該ドアの下枠には、前記傾斜巾木の立ち上がり根本まで延出するスロープが形成されるものである。
【発明の効果】
【００１１】
本発明に係る浴室ユニットによれば、建築床から浴室ユニット出入り口までのいわゆる沓摺高さを低減することができる。
【００１２】
また、本発明によれば、斯かる低床化が、防水パンのみならず壁パネルや出入り口に及ぼす影響をも解消する効果が得られる。
【発明を実施するための最良の形態】
【００１３】
本発明に係る浴室ユニットの第１の実施の形態について、添付図面を参照して説明する。図１は、本実施形態に係る浴室ユニット１の全体配置を示す概略平面図である。
【００１４】
浴室ユニット１の床は、樹脂材によって一体成型された防水パン２により形成され、浴槽７が載置される浴槽載置部４と、入浴者が体を洗える洗い場３と、この洗い場３より一段高い位置に形成される棚部５と、浴槽及び洗い場の排水を集水する排水ピット３０とに区画される。この防水パン２の四囲外縁には、この浴室ユニット１の壁面を構成する壁パネル８が載置され、壁面の脱衣室Ｄに面する側には、浴室の出入口部を形成するドア９が取り付けられる。このドア９は、壁パネル８に開口を形成するドア枠５０と、浴室ユニット側に開閉できる片開き式のドア本体５１とから構成される。
【００１５】
鉢状の浴槽７の最下部には、図２に示すように、排水孔７ｂが穿設され、排水金具２５を介して排水エルボ２０の一方の端部を施蓋するフランジ部２１に接続される。排水エルボ２０の他方の端部には、浴槽排水を排水ピットに設置された排水トラップ１０へと連通する浴槽排水管２３が接続されている。
【００１６】
この浴槽排水管２３は、排水トラップ１０の側面下部に接続され、この浴槽排水管２３を経由してきた浴槽排水は、排水トラップ上面の流入口３２から流入する洗い場排水同様、排水主管２４を経由して浴室ユニット外へ排出される。
【００１７】
排水トラップ１０は、防水パン２の排水ピット３０下面側に、この防水パン２から下方に突出するように取り付けられている。
【００１８】
排水トラップ１０は、トラップ本体１１と、カバー部１２と、取付フランジ１３と、封水筒１４と、ヘアキャッチャ１５と、Ｕパッキン１６と、パッキン１８とから構成される。
【００１９】
トラップ本体１１には、下部側中央に所定高さの封水溜１１ａが形成されるとともに、この封水溜１１ａの下部に連通するように、浴槽載置部４からの排水を集める排水エルボ２０が浴槽排水管２３を介して接続される浴槽排水取水口１１ｂが、側面１１ｄの下部に形成されている。ここで側面１１ｄ下部とは、トラップ本体１１の側面１１ｄの、封水溜１１ａの上端よりも相対的に低い部分をいう。
【００２０】
また、トラップ本体１１には、封水溜１１ａの上方側と連通するように、側面１１ｄの上部に排水口１１ｃが形成されている。そして、このトラップ本体１１上部には、中央に開口部が形成されたカバー部１２が取り付けられている。ここで側面１１ｄ上部とは、トラップ本体１１の側面１１ｄの、封水溜１１ａの上端よりも相対的に高い部分をいう。
【００２１】
取付フランジ１３は、上端側のフランジ部１３ｂが、排水ピット３０の開口部に取り付けられたＵパッキン１６上に設置された状態で、中央部がカバー部１２の開口部を介して、トラップ本体１１内に落とし込まれており、下部側の開口周りに、トラップ本体１１の封水溜１１ａに差し込まれる封水筒１４がパッキン１８を介して支持されている。
【００２２】
ヘアキャッチャ１５は、多数の小開口が形成されていて、この排水トラップ１０の排水流入口となるものであり、取付フランジ１３の上部に、上面がフランジ部１３ｂの上面と略面一になった状態で、載置される。
【００２３】
流入口３２から洗い場３からの排水が流入し、或いは、浴槽排水管２３を経由して浴槽排水が送水されると、排水トラップ１０内の水位が上昇して、排水主管２４へと排水される。この場合、排水口１１ｃが流入口３２より高くても、排水主管２４が満管となればサイホン作用により吸引されるので、流入口より排水が溢れ出すことはない。
【００２４】
このように、洗い場排水の流入口３２は、排水トラップ１０の排水口１１ｃよりも低い位置に形成されているので、流入口３２から底部までの高さを小さくすることができ、したがって、建築床Ｆから出入り口の沓摺高さＨも小さくすることができる。
【００２５】
棚部５は、このように流入口３２よりも高い位置にある排水口１１ｃや接続された排水主管２４を防水パン２の裏面に納めるべく、洗い場３の床レベルよりも一段高く形成される。したがって、排水ピット３０と浴槽７との間、すなわち浴槽排水管２３上部では、機能上必須のものではないが、この部分にも棚部を設けて排水ピット３０の左右で対称とすることで美観を向上させている。
【００２６】
このような構成では、図４に示すように、排水主管２４が排水口１１ｃから一定の距離を離間すると勾配によりその高さが下がる。また、洗い場３の周辺部は水上となって水下部分よりも高くなるので、排水主管２４は通常の床レベル内に収まり、洗い場３の床レベルを上げる必要はない。すなわち、洗い場３の床の一部のレベルを上げて排水主管２４の最高部を収納することにより、全体的な床レベルを下げることができ、建築床Ｆから出入り口の沓摺高さＨを小さくすることができる。
【００２７】
洗い場３は、図５に示すように、その四周を棚部５、同一レベルに形成された壁パネル載置部５３、及び浴槽載置部４と洗い場３とを区画する上方への立ち上がりである土手部５２に囲繞され、これらよりも低い位置に形成される。その外周は、図６（ａ）に示すように、同一高さに形成され、洗い場の水上レベルＬ１を構成する。
【００２８】
そして、この水上Ｌ１から、排水の流れる床面が、防水パン２の外縁部近傍、棚部５の中央にあって洗い場３の最下部に設けられた排水ピット３０に向かって下るように傾斜された流水面となっている。なお、防水パン２の裏面において排水主管２４が延設される部分の補強リブ２ａは、一部が短く成形される。
【００２９】
防水パン２の洗い場３床面外縁は、上方斜めに折曲されて斜め巾木６０が形成され、壁パネル載置部５３は、この斜め巾木６０上部に形成される。この斜め巾木は、土手部５２の側面にも設けて、意匠を統一してもよい。
【００３０】
排水ピット３０は、図６（ｂ）に示すように、洗い場３の水下Ｌ２と略同一レベル、或いは若干下げた位置に形成され、排水トラップ１０は、この排水ピット３０において、防水パン２の裏面に突出して吊設される。洗い場排水は、流水面を下って排水トラップ１０の頂部に設けられた流入口３２から排水トラップ１０内に流入する。排水ピット３０には、常時は、頂部にトラップカバー３１が載置されて掩蔽される。
【００３１】
棚部５は、図６（ｃ）に示すように、洗い場の水下Ｌ２において、その裏面に排水主管２４の延設を可能とするために、防水パン２が、洗い場３の水上Ｌ１よりも高い位置まで隆起されて形成されたものである。
【００３２】
また、棚部５上面には、壁パネル６側へ下降する勾配が設けられ、上面の水が壁パネル６足下を経由して排水ピット３０内の流入口３２へ排水される。
【００３３】
ここで、巾木が設けられた理由を説明する。図７は、通常の浴室ユニットにおける壁パネルの取付構造の一例を示すものである。このように、従来の構造では、床から立ち上がりを設けることなく、同一レベルの防水パン外縁部に直接壁パネルが載置される。
【００３４】
ところが、本発明に係る浴室ユニット１では、棚部５において洗い場３よりレベルが高いので、洗い場３床と同一レベルで壁パネル６を立設させようとすると、図８に示すように外縁部に凹部を形成することとなり、これでは壁パネルを支持する支柱をたてることはできても、壁パネル６自体を、前面から支柱へ持たせ掛けることができない。
【００３５】
また、棚部５背面のみ壁パネル載置位置を高くすることも可能ではあるが、サイズの異なる壁パネルを製作する必要が生じ、量産に適当ではない。そのため、巾木を設けて、壁パネル載置位置を高くしている。
【００３６】
次に、この巾木を垂直に立設せず、傾斜させた理由を、図９を参照して説明する。通常洗い場３の床レベルは、浴槽７から溢れた湯やシャワー撒水時の湯水が脱衣室側に漏れ出ることを防ぐため、脱衣室Ｄよりも低く設定される。この場合、脱衣室Ｄの床と洗い場３の床との間に段差が生じ、躓く虞があるので、これをスロープのついたカバー５４Ａで覆うことがある。
【００３７】
このとき、垂直な巾木６０Ａでは、このカバー５４Ａと巾木入り隅部との隙間にデッドスペースＳが生じ、清掃等が十分に行えないことから衛生上好ましくない。そこで、図１０に示すように、傾斜した巾木６０とすれば、このようなデッドスペースＳが生じることなく、衛生的である。
【００３８】
図１１は、足下にスロープのついたカバー５４を備えるドア８の取付詳細図である。ドアが取り付けられる位置の斜め巾木６０は切断されて、切断面下に受材６１が取り付けられた後、この受材６１と脱衣室Ｄの床上とにドア８の下枠５０ａが載架される。そして、スロープのついたカバー５４が、下枠５０ａ上に取り付けられる。このカバー５４は、下枠５０ａの上部との間に、浴室内の水を外部に漏れることを防止するため、足の指を挟まない程度の隙間を設けて取り付けられる。
【００３９】
これにより、脱衣室Ｄから斜め巾木６０の先端までの間に、違和感なく緩やかなスロープを設けることができ、段差を解消することができるとともに、浴室ユニット１から脱衣室へ水が溢れ出すことを防止できる。
【００４０】
上述したように、本発明に係る浴室ユニットは、このように構成さるので、建築床から出入り口までの沓摺高さを低くすることが可能となる。
【００４１】
また、洗い場３床よりも一段高く形成された棚部５は、上記の外、排水トラップを入浴動作上邪魔にならない位置へ隠蔽できるというメリットがあり、また、シャンプー等の小物を置くカウンタとしても使用でき、洗い場面との縁切りができるので、衛生的に洗面器等を置くことができるという効果も得られる。
【００４２】
また、図１２（ａ）に示すように、棚部５上に別材のカウンタを載置すれば、より意匠性を向上させることができる。この場合、図１２（ｂ）に示すように、棚部５に防水パン２裏面空間点検用の点検口６３を設け、この点検口６３を水密パッキン６４及び点検口蓋で６５密閉した後カウンタ６２を載置すれば、意匠性を損なうこともない。特に棚部５は、洗い場３より一段高い位置にあるので、ここに点検口６３を設けることは水仕舞い上も好適である。
【００４３】
さらに、この棚部５では、防水パン２自体のレベルが高く防水パン２裏の懐に余裕ができるので、図１３に示すように、逆梁回避対策としても有効である。
【００４４】
次に、本発明に係る浴室ユニットの第２の実施形態について、図を参照して説明する。図１４は、本実施形態に係る浴室ユニットの全体配置図であり、図１５は、本実施形態に係る排水トラップの縦断面図である。
【００４５】
本実施の形態の浴室ユニット１Ａにおいては、図に示すように、排水トラップ１０Ａが、その浴槽排水取水口１１ｃを封水溜１１ａよりも下流側（封水溜１１ａから見て排水口１１ｂと同じ側）に備える点で第１の実施形態におけるものと基本的に相違し、他の構成は第１の実施形態と実質的に同じであり、同じ符号を付して説明を省略する。
【００４６】
本実施形態における排水トラップ１０Ａのように、浴槽排水取水口１１ｂを封水溜１１ａよりも下流側に備えれば、浴槽排水は、封水溜１１ａを経由せず直接排水口１１ｃへと導かれるので、トラップ１０Ａ内に滞留することなくより高速に外部に排出される。
【００４７】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００４８】
【図１】本発明に係る浴室ユニットの第１の実施形態の全体配置図。
【図２】図１のＡ−Ａ断面図。
【図３】図１のＡ−Ａ断面図のトラップ周り詳細図。
【図４】図１のＢ−Ｂ断面図。
【図５】本実施形態に係る浴室ユニットの防水パンの斜視図。
【図６】（ａ）は図５のＣ−Ｃ断面図、（ｂ）は図５のＤ−Ｄ断面図、（ｃ）は図５のＥ−Ｅ断面図。
【図７】従来の防水パンの壁載置部の一例を示す図。
【図８】巾木のない場合の棚部周りを示す図。
【図９】巾木を垂直に形成した場合の例を示す図。
【図１０】洗い場入り隅の収まりを示す斜視図。
【図１１】ドア下枠周りの詳細図。
【図１２】（ａ）は天板付棚部を示す図で、（ｂ）はこの天板を持ち上げて点検口を示す図。
【図１３】排水トラップと逆梁との取合いを説明する図。
【図１４】本発明に係る浴室ユニットの第２の実施形態の全体配置図。
【図１５】第２の実施形態に係る排水トラップの縦断面図。
【図１６】従来の排水トラップの排水口高さを説明する図。
【符号の説明】
【００４９】
１，１Ａ  浴室ユニット
２  防水パン
２ａ  補強リブ
３  洗い場
４  浴槽載置部
５  棚部
６  壁パネル
７  浴槽
７ｂ  排水孔
８  ドア
１０，１０Ａ  排水トラップ
１１  トラップ本体
１１ａ  封水溜
１１ｂ  浴槽排水取水口
１１ｃ  排水口
１１ｄ  側面
１２  カバー部
１３  取付フランジ
１３ｂ  フランジ部
１４  封水筒
１５  ヘアキャッチャ
１６  Ｕパッキン
１８  パッキン
２０  排水エルボ
２１  フランジ面
２３  浴槽排水管
２４  排水主管
２５  排水金具
３０  排水ピット
３１  トラップカバー
３２  流入口
５０  ドア枠
５０ａ  下枠
５１  ドア本体
５２  土手部
５３  壁パネル載置部
５４，５４Ａ  カバー
６０  斜め巾木
６０Ａ  垂直巾木
６１  受材
６２  カウンタ
６３  点検口
６４  水密パッキン
６５  点検口蓋
Ｂ  逆梁
Ｄ  脱衣室
Ｆ  建築床
Ｈ  沓摺高さ
Ｌ１  水上
Ｌ２  水下
Ｓ  デッドスペース
【図１】
2005325595.tif 000003
【図２】
2005325595.tif 000004
【図３】
2005325595.tif 000005
【図４】
2005325595.tif 000006
【図５】
2005325595.tif 000007
【図６】
2005325595.tif 000008
【図７】
2005325595.tif 000009
【図８】
2005325595.tif 000010
【図９】
2005325595.tif 000011
【図１０】
2005325595.tif 000012
【図１１】
2005325595.tif 000013
【図１２】
2005325595.tif 000014
【図１３】
2005325595.tif 000015
【図１４】
2005325595.tif 000016
【図１５】
2005325595.tif 000017
【図１６】
2005325595.tif 000018